【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
下記一般式（Ｉ）及び下記一般式（ＩＩ）で表される構造単位を有することを特徴とする共重合体。
【化１】
2016196621.tif 000001
（前記一般式（Ｉ）及び前記一般式（ＩＩ）中、Ｒ１及びＲ２は水素原子又はメチル基であり、Ｘは水素原子又は陽イオン、Ｌは炭素数が２個〜１８個のアルキレン基である。）
【請求項２】
下記一般式（ＩＩＩ）で表される構造単位をさらに有する請求項１に記載の共重合体。
【化２】
2016196621.tif 000002
（前記一般式（III）中、Ｘはそれぞれ独立に水素原子又は陽イオンである。）
【請求項３】
下記一般式（ＩＶ）で表される構造単位及び下記一般式（Ｖ）で表される構造単位の少なくともいずれかをさらに有する請求項１に記載の共重合体。
【化３】
2016196621.tif 000003
（前記一般式（ＩＶ）中、Ｒ３は水素原子又はメチル基であり、Ｙは２価の有機基を表し、Ｚは炭素原子数１個〜１５個でｎ＋ｍ３価の有機基を表し、Ａは置換若しくは無置換の１価アルキル基、置換若しくは無置換の１価アリール基又は置換若しくは無置換の１価ヘテロアリール基を表す。ｎは１〜１５であり、ｍ１、ｍ２及びｍ３は０又は１である。）
【化４】
2016196621.tif 000004
（前記一般式（Ｖ）中、Ｐは下記一般式（ＶＩ）で表され、Ｑは炭素数１個〜６個のアルキレン基又は窒素数１個〜６個、酸素数１個〜６個、及び水素数２個〜４０個からなるｐ価の有機基であり、ｐは２又は３である。）
【化５】
2016196621.tif 000005
（前記一般式（ＶＩ）中、Ｒ４は水素原子又はメチル基である。）
【請求項４】
下記一般式（Ｉ）で表される構造単位、下記一般式（ＩＩ）で表される構造単位、及び下記一般式（ＶＩＩ）で表される構造単位をさらに有することを特徴とする共重合体。
2016196621.tif 000006
2016196621.tif 000007
（前記一般式（Ｉ）、前記一般式（ＩＩ）、及び前記一般式（ＶＩＩ）中、Ｒ１、Ｒ２、及びＲ３は水素原子又はメチル基、Ｘは水素原子又は陽イオン、Ｌは炭素数が２個〜１８個のアルキレン基、ｎは２〜３００の整数である。）
【請求項５】
前記一般式（Ｉ）及び前記一般式（ＩＩ）で表される構造単位のモル比が、一般式（Ｉ）：一般式（ＩＩ）＝０．５：１〜３：１である請求項１に記載の共重合体。
【請求項６】
前記一般式（Ｉ）、前記一般式（ＩＩ）、及び前記一般式（ＩＩＩ）で表される構造単位のモル比が、一般式（Ｉ）：一般式（ＩＩ）：一般式（ＩＩＩ）＝０．２５〜１．５：１：０．２５〜１．５である請求項２に記載の共重合体。
【請求項７】
前記一般式（Ｉ）、前記一般式（ＩＩ）、及び前記一般式（ＩＶ）で表される構造単位のモル比が、一般式（Ｉ）：一般式（ＩＩ）：一般式（ＩＶ）＝０．５〜３：１：０．０１〜０．１５である請求項３に記載の共重合体。
【請求項８】
前記一般式（ＶＩＩ）で表される構造単位が、前記共重合体の全量に対して、１質量％〜１２質量％である請求項４に記載の共重合体。
【請求項９】
下記一般式（Ｉａ）及び下記一般式（ＩＩａ）で表される化合物から合成された請求項１に記載の共重合体。
【化６】
2016196621.tif 000008
（前記一般式（Ｉａ）及び前記一般式（ＩＩａ）中、Ｒ１及びＲ２は水素原子又はメチル基、Ｘは水素原子又は陽イオン、Ｌは炭素数が２個〜１８個のアルキレン基である。）
【請求項１０】
下記一般式（Ｉａ）で表される化合物、下記一般式（ＩＩａ）で表される化合物、及び下記一般式（ＩＩＩａ）で表される化合物から合成されたことを特徴とする共重合体。
【化７】
2016196621.tif 000009
（前記一般式（Ｉａ）、前記一般式（ＩＩａ）、及び前記一般式（ＩＩＩａ）中、Ｒ１及びＲ２は水素原子又はメチル基、Ｘは水素原子又は陽イオン、Ｌは炭素数が２個〜１８個のアルキレン基である。）
【請求項１１】
下記一般式（Ｉａ）、下記一般式（ＩＩａ）、及び下記一般式（ＩＶａ）で表される化合物から合成されたことを特徴とする共重合体。
【化８】
2016196621.tif 000010
（前記一般式（Ｉａ）、前記一般式（ＩＩａ）、及び前記一般式（ＩＶａ）中、Ｒ１、Ｒ２、及びＲ３は水素原子又はメチル基であり、Ｘは水素原子又は陽イオンであり、Ｌは炭素数が２個〜１８個のアルキレン基である。Ｙは２価の有機基を表し、Ｚは炭素原子数１個〜１５個でｎ＋ｍ３価の有機基を表し、Ａは置換若しくは無置換の１価アルキル基、置換若しくは無置換の１価アリール基又は置換若しくは無置換の１価ヘテロアリール基を表す。ｎは１〜１５であり、ｍ１、ｍ２、及びｍ３は０又は１である。）
【請求項１２】
下記一般式（Ｉａ）、下記一般式（ＩＩａ）、及び下記一般式（ＶＩＩａ）で表される化合物から合成されたことを特徴とする共重合体。
【化９】
2016196621.tif 000011
（前記一般式（Ｉａ）、前記一般式（ＩＩａ）、及び前記一般式（ＶＩＩａ）中、Ｒ１、Ｒ２、及びＲ３は水素原子又はメチル基であり、Ｘは水素原子又は陽イオンであり、Ｌは炭素数が２個〜１８個のアルキレン基であり、ｎは２〜３００の整数である。）
【請求項１３】
前記一般式（ＩＩ）で表される構造単位のＬが、炭素数２個〜１２個のアルキレン基である請求項１から４のいずれかに記載の共重合体。
【請求項１４】
少なくとも水、色材、及び共重合体を含有する水性インクにおいて、
前記共重合体が請求項１から１３のいずれかに記載の共重合体であることを特徴とする水性インク。
【請求項１５】
前記色材が、顔料である請求項１４に記載の水性インク。
【請求項１６】
少なくとも１種の水溶性有機溶剤及び界面活性剤の少なくともいずれかをさらに含有する請求項１４から１５のいずれかに記載の水性インク。
【請求項１７】
請求項１４から１６のいずれかに記載の水性インクを容器中に収容したことを特徴とするインクカートリッジ。
【請求項１８】
下記一般式（Ｉ）及び一般式（ＶＩＩＩ）で表される構造単位を有することを特徴とする共重合体。
【化１０】
2016196621.tif 000012
（前記一般式（Ｉ）及び前記一般式（ＶＩＩＩ）中、Ｒ１及びＲ２は水素原子又はメチル基であり、Ｘは水素原子又は陽イオンであり、Ｌは炭素数が２個〜１８個のアルキレン基であり、Ａｒは多環式芳香族基である。）
【請求項１９】
少なくとも水、色材、及び共重合体を含有する水性インクにおいて、
前記共重合体が請求項１８に記載の共重合体であることを特徴とする水性インク。
【請求項２０】
３−エチル−３−ヒドロキシメチルオキセタン、イソプロピリデングリセロール、Ｎ，Ｎ−ジメチル−β−メトキシプロピオンアミド、及びＮ，Ｎ−ジメチル−β−ブトキシプロピオンアミドから選ばれる少なくとも１種である水溶性有機溶剤をさらに含有する請求項１９に記載の水性インク。
【請求項２１】
請求項１９から２０のいずれかに記載の水性インクと、コート紙と、を有することを特徴とする水性インクとコート紙のセット。
【請求項２２】
請求項１９から２０のいずれかに記載の水性インクをコート紙に付与することを特徴とする記録方法。
【手続補正２】
【補正対象書類名】明細書
【補正対象項目名】発明の名称
【補正方法】変更
【補正の内容】
【発明の名称】新規共重合体、水性インク、インクカートリッジ、水性インクとコート紙のセット、及び記録方法